(57)【要約】【課題】  装着するときの煩雑性が無く、簡易に使用でき、且つ安価で販促品などＰＲ用に使用できるネクタイ留めを得ること。【解決手段】粘着部を両面に設けた板状の粘着支持体として形成し、ネクタイの小剣部の表裏面双方に粘着支持体を貼設してそのそれぞれの粘着部を介して粘着保持する、また、粘着支持体が支持部材を介してそれぞれ該両端に連結されて一体として挟持状粘着支持体を形成し、該挟持状粘着支持体でネクタイの小剣部を挟持状に貼設している。【選択図】  図１
2011229796.tif 000002
【特許請求の範囲】
【請求項１】
ネクタイの狭小側である小剣部の表裏面双方に貼設できるように、粘着部を両面に設けた板状の粘着支持体として形成し、そのネクタイの幅広である大剣部を、シャツで保持できるように、該小剣部の表裏面双方に粘着支持体を貼設してそのそれぞれの粘着部を介して粘着保持することを特徴としたネクタイ留め。
【請求項２】
請求項１記載の粘着支持体が、支持部材を介してそれぞれ該両端に連結されて一体の挟持状粘着支持体として形成され、該挟持状粘着支持体をネクタイの小剣部の表裏で挟持状に貼設するネクタイ留め。
【発明の詳細な説明】
【技術分野】
【０００１】
本発明は、ネクタイを締めたときのそのネクタイ先端の振れを粘着により留める、ネクタイ留めに関する。
【背景技術】
【０００２】
従来のネクタイ留めは、使用する人の姿勢によりネクタイ先端が邪魔になるとき、またアクセサリーとして装着するネクタイピンが使用され、該ネクタイピンは、ネクタイをシャツと共に挟むようにした構成のネクタイピン、又は針状のものでネクタイ自身を刺し通して使用する構成のものなどシャツを介してネクタイを保持することを目的として一般的に使用、販売されている。
【０００３】
而して、ネクタイピンに関連する先願技術として、ネクタイが、懸吊状に使用される該ネクタイとシャツの間で使用できるように、ネクタイ１０ａとシャツ２０にそれぞれ磁石１１ｂ、１２ｂを取り付け吸着接続する実施例を示す「ネクタイとシャツの吸着取り付け構造」がある。（例えば、特許文献１参照）
【０００４】
また、他の先願技術として、ネクタイが懸吊状に使用される該ネクタイとシャツの間で使用できるように、上記実施例の磁石１１ｂ、１２ｂに換えてクリップ３でネクタイ本体１１とワイシャツ１７を保持する実施例を示す「ネクタイ止め具」がある。（例えば、特許文献２参照）
【０００５】
さらに、また他の先願技術として、ネクタイ大剣部の裏面と小剣部の表面に接離自在に接合し得る手段の面ファスナーが装着されていることが記載される実施例を示す「ネクタイ」がある。（例えば、特許文献３参照）
【先行技術文献】
【特許文献】
【０００６】
【特許文献１】特開２００９−４１１６３号公報
【特許文献２】特開平９−２３８７１１号公報
【特許文献３】実開昭６２−４４０１８号公報
【発明の概要】
【発明が解決しようとする課題】
【０００７】
従来、ネクタイを挟むようにした構成のネクタイピン、またネクタイを刺し通して保持するものなどのネクタイピンが一般的に使用されているが、通勤電車の混雑で該ネクタイピンが外れ無くしたり、またその外れる時にネクタイピンによる引っ掛け傷でネクタイの糸がほつれたりすることもあり、近年、そのネクタイピンの使用者が減った要因ともなったことも考えられ、ネクタイ留めを無くしたりせず、また無くしても安価で損害が些少なものでネクタイも傷を付けることのないものが待たれていた。
【０００８】
また、ネクタイそのものも、省エネなどの観点から着用が控えられることが一般に認知されることでネクタイ留めの使用も減り、該ネクタイ着用が少なくなるに加え、さらにネクタイピンの使用において、その保存管理の煩雑さからネクタイピンを無くすことが多く、またネクタイに装着する煩雑さも影響して、その使用者も減り続けている現状があり、しかし、ネクタイ着用は、フォーマルな場所以外でも儀礼的に使用される場面も多く、またその使用のとき、使用する人の姿勢、又は作業、食事時などのときにネクタイが邪魔になることがあり、その邪魔なとき一時的に胸ポケット或いはボタン留めのシャツの間に入れ留めていたが、見栄えが悪かった。
【０００９】
なお、ネクタイピンのようなネクタイをする人にとって実用品で、尚かつ簡易な構成と使用法で安価なもの提供はなく、特にPR用の販促品として配布できる程度の価格で実用性の高い製品としての提供が待たれていた。
【００１０】
而して、開示される特許文献１の「ネクタイとシャツの吸着取り付け構造」は、ネクタイ１０ａとシャツ２０にそれぞれ磁石１１ｂ、１２ｂを取り付け、該磁石１１ｂ、１２ｂで吸着接続するもので、その取付構成が、「…、横フレ−ム１５ａの横両端裏側に磁石１１ａを取り付けるくぼみ形状からなる座１７ａを設け、その座に吸着面をネクタイ裏側に向けて磁石１１aを取り付けている。」からネクタイに簡易に取付ができず、また、簡易に磁石のみで吸着使用するのであれば、無理な力で磁石の吸着が外れたとき、その磁石が脱落するので無くすことがあり、また使用するときのその煩雑さは、従来のネクタイピント同様、ネクタイに装着して使用するので変わらず煩雑で、また、上述したように無くしても損害が些少な価格としては、磁石を使用することからそれなりの価格となり、安価なものでは無かった。
【００１１】
而して、開示される特許文献２の「ネクタイ止め具」は、ネクタイ本体１１の裏面14に設けられたバンド15に予めネクタイ止め具１を取り付けておき、ネクタイ本体１１とワイシャツ１７の間で、ネクタイ止め具１のクリップ３により該ネクタイを留めており、予めネクタイ止め具１を取り付ける手間と、上述した特許文献１と同様の課題である使用するときの煩雑さと安価なものでは無かった。
【００１２】
而して、開示される特許文献３の「ネクタイ」は、ネクタイ大剣部の裏面と小剣部の表面に接離自在に接合し得る手段の面ファスナーが予め装着され、該面ファスナーで接合していることから、面ファスナーを予め装着する手間と、上述した特許文献１及び特許文献２と同様の課題である使用するときの煩雑さと安価なものでは無かった。
【課題を解決するための手段】
【００１３】
本発明は、上記課題を有効に達成するために、第１の解決手段として、粘着部を両面に設けた板状の粘着支持体として形成し、ネクタイの小剣部の表裏面双方に粘着支持体を貼設してそのそれぞれの粘着部を介して粘着保持することにより、
そのネクタイを、粘着支持体を介してシャツに粘着して保持するとしている。
【００１４】
また、第２の解決手段として、粘着支持体が支持部材を介してそれぞれ該両端に連結されて一体として挟持状粘着支持体を形成し、該挟持状粘着支持体でネクタイの小剣部を挟持状に貼設するとしたことにより、
そのネクタイを、挟持状粘着支持体を介してシャツに粘着して保持するとしている。
【発明の効果】
【００１５】
本発明は、上述したそれぞれの手段によって有効な効果が得られるようにしたもので、特に、第１の解決手段のネクタイの狭小側である小剣部の表裏面双方に貼設できるように、粘着部を両面に設けた板状の粘着支持体として形成し、そのネクタイの幅広である大剣部を、シャツで保持できるように、該小剣部の表裏面双方に粘着支持体を貼設してそのそれぞれの粘着部を介して粘着保持することにより、
粘着支持体の粘着部を該小剣部の表裏面双方に貼設してネクタイ留めとすることで、ネクタイとシャツを粘着保持して使用でき、非常に簡易な構成で、使用において全く煩雑性がないので、ネクタイ留めとして煩雑で使用を控えていた人にも朗報となり、また粘着保持するのでネクタイも傷を付けることがなく、さらにネクタイ及びシャツに粘着しているのでネクタイ留めを無くすることも少なくなる。
【００１６】
また、該小剣部の表裏面双方に板状の粘着支持体を貼設するもので、例えば、粘着支持体を硬貨程度の大きさのプラスチックとすれば、単価としては非常に安価となり、従来のネクタイピン又は先行技術のような磁石又は面ファスナーの構成を持つものより遙かに安価に提供でき、紛失しても安価で損害が些少なものである。
【００１７】
さらに、ネクタイを締めるとき、そのネクタイに貼設した小剣部の粘着部が、他に粘着してネクタイの結びに影響するかは、通常、ネクタイの小剣側を手で保持して、大剣側を持って、小剣側に潜らせるようにして結ぶため、予めネクタイ留めを該小剣側に貼設していても、特にネクタイを締めるときにも支障なく、通常通り締めることができる。
【００１８】
加えて、粘着支持体の粘着部は、使用により粘着力が弱くなると、ネクタイから取り外し洗浄することで再び粘着力が回復するので長く使え、なお、使い捨てとしても良い程度の価格で提供できる構成であるが、省資源及びゴミゼロの観点から前記したように洗浄して使い回しすることが適切である。
【００１９】
さらに加えて、非常に簡易な構成と粘着させるだけの使用法から、煩雑性が無く簡易に使用できる安価なネクタイ留めを実現させ、またその形状を動物、花、会社マークなどの形状、エコなど社会啓発マークなどに形成することで、そのPR用の販促品として配布でき、それは簡易な構成により安価に製作できるものであることから可能となるもので、多方面に使用できるものを提供できる。
【００２０】
また、第２の解決手段の粘着支持体が、支持部材を介してそれぞれ該両端に連結されて一体の挟持状粘着支持体として形成され、該挟持状粘着支持体をネクタイの小剣部の表裏で挟持状に貼設するとしたことにより、
上述した、第１の解決手段の効果に加え、ネクタイの狭小側の小剣部の表裏面に挟持状粘着支持体を挟持するように小剣部の表裏面一度に貼設して使用でき、さらに使用において煩雑性が少なくなり、非常に簡易でネクタイ留めとして煩雑で使用を控えていた人にもさらに朗報となる。
よって、これらのことから本発明は、実用上著大な効果を奏する。
【図面の簡単な説明】
【００２１】
【図１】本発明の実施例のネクタイ小剣部要部に設けた使用状態を示す斜視図である。
【図２】本発明の他の実施例を示す斜視図である。
【図３】本発明の使用状態を示す要部の側面断面図である。
【図４】本発明の使用状態を示す要部の拡大側面断面図である。
【図５】本発明のその他の実施例を示す斜視図である。
【図６】本発明のその他の実施例のネクタイ要部に設けた使用状態を示す平面図である。
【発明を実施するための形態】
【００２２】
ネクタイの小剣部の表裏面双方に、粘着部を両面に設けた板状の粘着支持体として形成した粘着支持体を貼設して、該ネクタイをそれぞれの粘着部を介してシャツに粘着保持させ、また支持部材を介してそれぞれ該両端に粘着支持体を連結して、一体の挟持状粘着支持体として形成することで、煩雑性が無く簡易に使用できる安価なネクタイ留めを実現させた。
【実施例】
【００２３】
本発明の実施例を図面に基づいて説明すると、図１において、１はネクタイ留めで、該ネクタイ留め１は、図示する一例の円板状で、粘着支持体２の表裏両面にそれぞれ粘着部３，３を設け、該粘着部３，３表面でネクタイ４に粘着可能としている。
【００２４】
そこで、図１に示す、該ネクタイ４の一方端側の狭小側である小剣部５の表裏両面にそれぞれネクタイ留め１，１を、粘着支持体２の両面の粘着部３，３にてそれぞれ粘着貼設させ、さらに、貼設された該小剣部５の一方側の粘着部３で、ネクタイ４の他方端側の幅広側である大剣部６に粘着させると共に図３及び図４に示すように、他方側の粘着部３でシャツ７のボタン８に粘着保持させることで、ネクタイ４を締めたときの該先端部の振れを留める。
【００２５】
また、図２に示す他の実施例は、粘着支持体２ａ及びその粘着部３ａ，３ａ双方を方形状の透明とし、その粘着部３ａ，３ａの間に所定デザインを施した表示体９を設け、図示ではリサイクルマーク、又はその他任意模様を施したものとし、透明の粘着部３ａ，３ａの表面より透けて見えるように形成することで、エコなど社会啓発など、又は自社ブランドなどのＰＲに使用でき、販促品に利用可能としたネクタイ留めの実施例である。
【００２６】
而して、図５に示すその他の実施例は、上述粘着部３，３を、長板状の支持部材１０を介してそれぞれ該両端に連結して、粘着部３ｂ，３ｂと一体の挟持状粘着支持体１１として形成したネクタイ留め１ｂである。
【００２７】
該ネクタイ留め１ｂは、図６に示すように、ネクタイ４の一方端の小剣部５の表裏両面を挟持するように挟持状粘着支持体１１の粘着部３ｂ，３ｂでそれぞれ粘着保持し、他方端の大剣部６の裏面側に該小剣部５に粘着保持された粘着部３ｂで粘着させると共にシャツ７側の粘着部３ｂでボタン８に粘着保持させることで、ネクタイ４を粘着保持させている。
【００２８】
なお、上述ボタン８に粘着部３，３ｂで保持するとしているが、これはシャツ７の繊維が粘着部に着き、該繊維の種類により粘着効果が薄れることがあるためで、またそれは粘着効果を薄れにくくするためのベストな使用法で、しかし粘着効果が薄れると洗浄することで、粘着が復活するので、シャツ７に直接粘着保持しても好ましく、よってシャツ７側のどの部分に粘着させるかは特にこだわらない。
【００２９】
また、粘着部３，３ｂの形状を円形又は四角形を例示しているが、その他の形状で動物、花、会社マークなどの形状、エコなど社会啓発マークなどに形成することで、PR用の販促品として配布でき、それは安価に製造できるものであることから可能となる。
【００３０】
つまり、ネクタイ留め１，１ａ，１ｂの製造法において、予めシート状製品又は押出し成形品として製作したものを、所定形状に打ち抜き又は切断製作することで、大量、且つ安価に製作できる。
【産業上の利用可能性】
【００３１】
本発明のネクタイ留めは、従来のネクタイピンに変わる粘着を利用したネクタイ留めとPR用に配布できるものとして使用することができる。
【符号の説明】
【００３２】
１，１ａ，１ｂ  ネクタイ留め
２，２ａ  粘着支持体
３，３ａ，３ｂ  粘着部
４  ネクタイ
５  小剣部
６  大剣部
７  シャツ
１０  支持部材
１１  挟持状粘着支持体。
【図１】
2011229796.tif 000003
【図２】
2011229796.tif 000004
【図３】
2011229796.tif 000005
【図４】
2011229796.tif 000006
【図５】
2011229796.tif 000007
【図６】
2011229796.tif 000008
【手続補正書】
【提出日】平成22年7月30日(2010.7.30)
【手続補正１】
【補正対象書類名】特許請求の範囲
【補正対象項目名】全文
【補正方法】変更
【補正の内容】
【特許請求の範囲】
【請求項１】
ネクタイの狭小側である小剣部の表裏面双方に貼設できるように、粘着部を両面に設けた板状の粘着支持体として形成し、そのネクタイの幅広である大剣部を、シャツで保持できるように、該小剣部の表裏面双方に粘着支持体を貼設してそのそれぞれの粘着部を介して粘着保持する該粘着支持体が、支持部材を介してそれぞれ該両端に連結されて一体の挟持状粘着支持体として形成され、該挟持状粘着支持体をネクタイの小剣部の表裏で挟持状に貼設することを特徴としたネクタイ留め。
【手続補正２】
【補正対象書類名】明細書
【補正対象項目名】全文
【補正方法】変更
【補正の内容】
【発明の詳細な説明】
【技術分野】
【０００１】
本発明は、ネクタイを締めたときのそのネクタイ先端の振れを粘着により留める、ネクタイ留めに関する。
【背景技術】
【０００２】
従来のネクタイ留めは、使用する人の姿勢によりネクタイ先端が邪魔になるとき、またアクセサリーとして装着するネクタイピンが使用され、該ネクタイピンは、ネクタイをシャツと共に挟持するようにした構成のネクタイピン、又は針状のものでネクタイ自身を刺し通して使用する構成のものなどシャツを介してネクタイを保持することを目的として一般的に使用、販売されている。
【０００３】
而して、ネクタイピンに関連する先願技術として、ネクタイが、懸吊状に使用される該ネクタイとシャツの間で使用できるように、ネクタイ１０ａとシャツ２０にそれぞれ磁石１１ｂ、１２ｂを取り付け吸着接続する実施例を示す「ネクタイとシャツの吸着取り付け構造」がある。（例えば、特許文献１参照）
【０００４】
また、他の先願技術として、ネクタイが懸吊状に使用される該ネクタイとシャツの間で使用できるように、上記実施例の磁石１１ｂ、１２ｂに換えてクリップ３でネクタイ本体１１とワイシャツ１７を保持する実施例を示す「ネクタイ止め具」がある。（例えば、特許文献２参照）
【０００５】
さらに、その他の先願技術として、ネクタイ大剣部の裏面と小剣部の表面に接離自在に接合し得る手段の面ファスナーが装着されていることが記載される実施例を示す「ネクタイ」がある。（例えば、特許文献３参照）
【先行技術文献】
【特許文献】
【０００６】
【特許文献１】特開２００９−４１１６３号公報
【特許文献２】特開平９−２３８７１１号公報
【特許文献３】実開昭６２−４４０１８号公報
【発明の概要】
【発明が解決しようとする課題】
【０００７】
従来、ネクタイを挟持するようにした構成のネクタイピン、またネクタイを刺し通して保持するものなどのネクタイピンが一般的に使用されているが、通勤電車の混雑で該ネクタイピンが外れ無くしたり、またその外れる時にネクタイピンによる引っ掛け傷でネクタイの糸がほつれたりすることもあり、近年、そのネクタイピンの使用者が減った要因ともなり、ネクタイ留めを無くしたり傷を付けることも無く、また無くしても安価で損害が些少なものが待たれていた。
【０００８】
また、ネクタイそのものも、省エネなどの観点から着用が控えられることが一般に認知されることでネクタイ留めの使用も減り、該ネクタイ着用が少なくなるに加え、さらにネクタイピンの使用において、その保存管理の煩雑さからネクタイピンを無くすことが多く、またネクタイに装着する煩雑さも影響して、その使用者も減り続けている現状があり、しかし、ネクタイ着用は、フォーマルな場所以外でも儀礼的に使用される場面も多く、またその使用のとき、使用する人の姿勢、又は作業、食事時などのときにネクタイが邪魔になることがあり、その邪魔なとき一時的に胸ポケット或いはボタン留めのシャツの間に入れ留めていたが、見栄えが悪かった。
【０００９】
なお、ネクタイピンのようなネクタイをする人にとって実用品で、尚かつ簡易な構成と使用法で安価なもの提供はなく、特にPR用の販促品として配布できる程度の価格で実用性の高い製品としての提供が待たれていた。
【００１０】
而して、開示される特許文献１の「ネクタイとシャツの吸着取り付け構造」は、ネクタイ１０ａとシャツ２０にそれぞれ磁石１１ｂ、１２ｂを取付け、該磁石１１ｂ、１２ｂで吸着接続するもので、その取付け構成が、「…、横フレ−ム１５ａの横両端裏側に磁石１１ａを取り付けるくぼみ形状からなる座１７ａを設け、その座に吸着面をネクタイ裏側に向けて磁石１１aを取り付けている。」からネクタイに簡易に取付けができず、また、簡易に磁石のみで吸着使用するのであれば、無理な力で磁石の吸着が外れたとき、その磁石が脱落するので無くすことがあり、また使用するときのその煩雑さは、従来のネクタイピント同様、ネクタイに装着して使用するので変わらず煩雑で、また、上述したように無くしても損害が些少な価格としては、磁石を使用することからそれなりの価格となり、安価なものでは無かった。
【００１１】
而して、開示される特許文献２の「ネクタイ止め具」は、ネクタイ本体１１の裏面14に設けられたバンド15に予めネクタイ止め具１を取り付けておき、ネクタイ本体１１とワイシャツ１７の間で、ネクタイ止め具１のクリップ３により該ネクタイを留めており、予めネクタイ止め具１を取り付ける手間と、上述した特許文献１と同様の課題である使用するときの煩雑さと安価なものでは無かった。
【００１２】
而して、開示される特許文献３の「ネクタイ」は、ネクタイ大剣部の裏面と小剣部の表面に接離自在に接合し得る手段の面ファスナーが予め装着され、該面ファスナーで接合していることから、面ファスナーを予め装着する手間と、上述した特許文献１及び特許文献２と同様の課題である使用するときの煩雑さとそれなりの価格となり、安価なものでは無かった。
【課題を解決するための手段】
【００１３】
本発明は、上記課題を有効に達成するために、第１の解決手段として、粘着部を両面に設けた板状の粘着支持体として形成し、ネクタイの小剣部の表裏面双方に粘着支持体を貼設してそのそれぞれの粘着部を介して粘着保持する該粘着支持体が、支持部材を介してそれぞれ該両端に連結されて一体として挟持状粘着支持体を形成したことにより、
そのネクタイを、粘着支持体を介してシャツに粘着して挟持状粘着支持体でネクタイの小剣部を挟持状に保持するとしている。
【発明の効果】
【００１４】
本発明は、上述したそれぞれの手段によって有効な効果が得られるようにしたもので、特に、第１の解決手段のネクタイの狭小側である小剣部の表裏面双方に貼設できるように、粘着部を両面に設けた板状の粘着支持体として形成し、そのネクタイの幅広である大剣部を、シャツで保持できるように、該小剣部の表裏面双方に粘着支持体を貼設してそのそれぞれの粘着部を介して粘着保持する該粘着支持体が、支持部材を介してそれぞれ該両端に連結されて一体の挟持状粘着支持体として形成され、該挟持状粘着支持体をネクタイの小剣部の表裏で挟持状に貼設することにより、
粘着支持体の粘着部を該小剣部の表裏面双方に貼設してネクタイ留めとすることで、ネクタイとシャツを粘着保持して使用でき、よって非常に簡易な構成で、使用において全く煩雑性がないので、ネクタイ留めとして煩雑で使用を控えていた人にも朗報となり、また粘着保持するのでネクタイも傷を付けることがなく、さらにネクタイ及びシャツに粘着しているので、そのことでネクタイ留めを無くすることもなくなる。
【００１５】
また、該小剣部の表裏面双方に板状の粘着支持体を貼設するもので、例えば、粘着支持体を硬貨程度の大きさのプラスチックとすれば、単価としては非常に安価となり、従来のネクタイピン又は先行技術のような磁石又は面ファスナーの構成を持つものより遙かに安価に提供でき、紛失しても安価で損害が些少なものとなる。
【００１６】
さらに、ネクタイを締めるとき、そのネクタイに貼設した小剣部の粘着部が、他に粘着してネクタイの結びに影響するかは、通常、ネクタイの小剣側を手で保持して、大剣側を持って、小剣側に潜らせるようにして結ぶため、予めネクタイ留めを該小剣側に貼設していても、特にネクタイを締めるときに粘着による支障も起きず、通常通り締めることができる。
【００１７】
加えて、粘着支持体の粘着部は、使用により粘着力が弱くなると、ネクタイから取外し洗浄することで再び粘着力が回復するので長く使え、なお、使い捨てとしても良い程度の価格で提供できる構成であるが、省資源及びゴミゼロの観点から前記したように洗浄して使い回しすることが適切である。
【００１８】
さらに加えて、非常に簡易な構成と粘着させるだけの使用法から、煩雑性が無く簡易に使用できる安価なネクタイ留めを実現させ、またその形状を動物、花、会社マークなどの形状、エコなど社会啓発マークなどに形成することで、そのPR用の販促品として配布でき、それは簡易な構成により安価に製作できるものであることから可能となるもので、多方面に使用できるものを提供できる。
【００１９】
上述効果に加え、ネクタイの小剣部の表裏面に挟持状粘着支持体を挟持するように小剣部の表裏面一度に貼設して使用でき、さらに使用において煩雑性が少なくなり、非常に簡易でネクタイ留めとして煩雑で使用を控えていた人にもさらに朗報となる。
よって、これらのことから本発明は、実用上著大な効果を奏する。
【図面の簡単な説明】
【００２０】
【図１】本発明の実施例のネクタイ小剣部要部に設けた使用状態を示す斜視図である。
【図２】本発明の他の実施例を示す斜視図である。
【図３】本発明の使用状態を示す要部の側面断面図である。
【図４】本発明の使用状態を示す要部の拡大側面断面図である。
【図５】本発明のその他の実施例を示す斜視図である。
【図６】本発明のその他の実施例のネクタイ要部に設けた使用状態を示す平面図である。
【発明を実施するための形態】
【００２１】
ネクタイの小剣部の表裏面双方に、粘着部を両面に設けた板状の粘着支持体として形成した粘着支持体を貼設して、該ネクタイをそれぞれの粘着部を介してシャツに粘着保持させ、また支持部材を介してそれぞれ該両端に粘着支持体を連結して、一体の挟持状粘着支持体として形成することで、煩雑性が無く簡易に使用できる安価なネクタイ留めを実現させた。
【実施例】
【００２２】
本発明の実施例を図面に基づいて説明すると、図１において、１はネクタイ留めで、該ネクタイ留め１は、図示する一例の円板状で、粘着支持体２の表裏両面にそれぞれ粘着部３，３を設け、該粘着部３，３表面でネクタイ４に粘着可能としている。
【００２３】
そこで、図１に示す、該ネクタイ４の一方端側の狭小側である小剣部５の表裏両面にそれぞれネクタイ留め１，１を、粘着支持体２の両面の粘着部３，３にてそれぞれ粘着貼設させ、さらに図３及び図４に示すように、貼設された該小剣部５の一方側の粘着部３で、ネクタイ４の他方端側の幅広側である大剣部６に粘着させると共に他方側の粘着部３で、シャツ７のボタン８に粘着保持させて、ネクタイ４を締めたときの該先端部の振れを留める。
【００２４】
また、図２に示す他の実施例は、粘着支持体２ａ及びその粘着部３ａ，３ａ双方を方形状の透明とし、その粘着部３ａ，３ａの間に所定デザインを施した表示体９を設け、図示ではリサイクルマーク、又はその他任意模様を施したものとし、透明の粘着部３ａ，３ａの表面より透けて見えるように形成することで、エコなど社会啓発など、又は自社ブランドなどのＰＲに使用でき、販促品に利用可能としたネクタイ留めの実施例である。
【００２５】
而して、図５に示すその他の実施例は、上述粘着部３，３を、長板状の支持部材１０を介してそれぞれ該両端に連結して、粘着部３ｂ，３ｂと一体の挟持状粘着支持体１１として形成したネクタイ留め１ｂである。
【００２６】
該ネクタイ留め１ｂは、図６に示すように、ネクタイ４の一方端の小剣部５の表裏両面を挟持するように挟持状粘着支持体１１の粘着部３ｂ，３ｂでそれぞれ粘着保持し、他方端の大剣部６の裏面側に該小剣部５に粘着保持された粘着部３ｂで粘着させると共にシャツ７側の粘着部３ｂでボタン８に粘着保持させることで、ネクタイ４を粘着保持させている。
【００２７】
なお、上述ボタン８に粘着部３，３ｂで保持するとしているが、これはシャツ７の繊維が粘着部に着き、該繊維の種類により粘着効果が薄れることがあるためで、またそれは粘着効果を薄れにくくするためのベストな使用法で、しかし粘着効果が薄れると洗浄することで、粘着が復活することから、シャツ７に直接粘着保持しても好ましく、よってシャツ７側のどの部分に粘着させるかは特にこだわらない。
【００２８】
また、粘着部３，３ｂの形状を円形又は四角形を例示しているが、その他の形状で動物、花、会社マークなどの形状、エコなど社会啓発マークなどに形成することで、PR用の販促品として配布でき、それは安価に製造できるものであることから可能となる。
【００２９】
つまり、ネクタイ留め１，１ａ，１ｂの製造法において、予めシート状製品又は押出し成形品として製作したものを、所定形状に打ち抜き又は切断製作することで、大量、且つ安価に製作できる。
【産業上の利用可能性】
【００３０】
本発明のネクタイ留めは、従来のネクタイピンに変わる粘着を利用したネクタイ留めとPR用に配布できるものとして使用することができる。
【符号の説明】
【００３１】
１，１ａ，１ｂ  ネクタイ留め
２，２ａ  粘着支持体
３，３ａ，３ｂ  粘着部
４  ネクタイ
５  小剣部
６  大剣部
７  シャツ
１０  支持部材
１１  挟持状粘着支持体。